(57)【要約】【課題】安価な仕切壁を提供することを課題とする。【解決手段】仕切壁３０は、複数の柱１６と、隣り合う柱１６と柱１６に渡した下框１７及び上框２４と、隣り合う柱１６と柱１６に嵌められたガラス板などの板材３１とからなる。特に、柱１６は、中密度繊維材で構成した。中密度繊維材は、製材の屑、大鋸屑、廃木材のチップ、小径樹木や枝の小片を原料とし、細胞の大きさまで砕いた後に、接着剤で固めてなる再生木材であり、金属に比較して格段に安価であり、角材よりも安価である。このような柱は、現場で大工の手で容易に加工できるため、施工費用を抑えることができる。すなわち、安価な仕切壁を提供することができる。【選択図】図１
2009263973.tif 000002
【特許請求の範囲】
【請求項１】
部屋の床から天井まで複数本の柱を立て、隣り合う柱の間にガラス板などの板材を嵌め込むことで、前記部屋を仕切る仕切壁において、
前記柱は、木材原料を小片またはそれ以下に細分し、これらを接着剤などの結合材により固めて得られる中密度繊維材で構成したことを特徴とする仕切壁。
【請求項２】
前記柱は、両端部を残した中央部分に、金属製の芯金が埋め込まれていることを特徴とする請求項１記載の仕切壁。
【請求項３】
前記柱の両端部には、余剰分を切除するときに使用する目盛りが印されていることを特徴とする請求項２記載の仕切壁。
【請求項４】
前記仕切壁は、前記部屋を喫煙エリアと禁煙エリアとに区分する分煙パーテーションであることを特徴とする請求項１、請求項２又は請求項３記載の仕切壁。
【発明の詳細な説明】
【技術分野】
【０００１】
本発明は、レストルームなどの部屋を仕切る仕切壁に関する。
【背景技術】
【０００２】
部屋を仕切る仕切壁や壁パネルには各種のものが提案されてきた（例えば、特許文献１参照。）。
【特許文献１】特開平１０−１５２９１７号公報（図４）
【０００３】
特許文献１を次図に基づいて説明する。
図９は従来の壁パネルの分解斜視図であり、壁パネル１００は、金属枠１０１と、この金属枠１０１に貼り付けた面材１０２とからなり、頭を天井側の頭継ぎ部材１０３に下から挿入し、底を床側の基材１０４の凸部１０５，１０５に嵌合することで、床と天井の間に立てかけられる。次に、金属枠１０１の縦面（側面）に、ビス１０６、１０６を用いて補強柱１０７を取付ける。
【０００４】
金属枠１０１と共に補強柱１０７は、金属製部品であって、十分な強度が得られる反面、材料費が嵩む。また、金属製部品であるため、切断や接合に金属加工や溶接が必要となり、加工費も嵩む。現場で溶接工事が発生する場合には、木工を担う大工の他に、金属を扱う職人（溶接士）が必要となり、現場施工費用が嵩む。
【０００５】
このように金属枠や金属柱を含む壁パネルは、割高になり、普及の妨げとなっている。金属枠や金属柱を含む仕切壁も同様である。普及を促す上で、安価な仕切壁が求められている。
【発明の開示】
【発明が解決しようとする課題】
【０００６】
本発明は、より安価な仕切壁を提供することを課題とする。
【課題を解決するための手段】
【０００７】
請求項１に係る発明は、部屋の床から天井まで複数本の柱を立て、隣り合う柱の間にガラス板などの板材を嵌め込むことで、前記部屋を仕切る仕切壁において、前記柱は、木材原料を小片またはそれ以下に細分し、これらを接着剤などの結合材により固めて得られる中密度繊維材で構成したことを特徴とする。
【０００８】
請求項２に係る発明では、柱は、両端部を残した中央部分に、金属製の芯金が埋め込まれていることを特徴とする。
【０００９】
請求項３に係る発明では、柱の両端部には、余剰分を切除するときに使用する目盛りが印されていることを特徴とする。
【００１０】
請求項４に係る発明では、仕切壁は、部屋を喫煙エリアと禁煙エリアとに区分する分煙パーテーションであることを特徴とする。
【発明の効果】
【００１１】
請求項１に係る発明では、強度メンバーである柱を中密度繊維材で構成した。中密度繊維材は、製材の屑、大鋸屑、廃木材のチップ、小径樹木や枝を原料とし、細胞の大きさまで砕いた後に、接着剤で固めてなる人造木材又は再生木材であり、金属に比較して格段に安価であり、角材よりも安価である。
中密度繊維材による柱は、現場で大工の手で容易に加工できるため、施工費用を抑えることができる。すなわち、請求項１によれば、より安価な仕切壁を提供することができる。
【００１２】
請求項２に係る発明では、柱は、両端部を残した中央部分に、金属製の芯金が埋め込まれていることを特徴とする。中密度繊維材は、金属に比べて強度は低くなる。天井が高い場合には、柱が長くなるが、この場合は金属製の芯金で補強することで、強度不足を補うことができる。柱の両端部には芯金が入っていないので、この部位を木工鋸で切断させ、柱の長さを調節することができる。すなわち、現場での金属切断を不要にすることができる。
【００１３】
請求項３に係る発明では、柱の両端部には、余剰分を切除するときに使用する目盛りが印されていることを特徴とする。両端部に目盛りが印されているため、両端部を均等に切断させることができる。
【００１４】
請求項４に係る発明では、仕切壁は、部屋を喫煙エリアと禁煙エリアとに区分する分煙パーテーションであることを特徴とする。部屋を仕切壁で仕切ることで、分煙化が容易に達成できる。
【発明を実施するための最良の形態】
【００１５】
本発明を実施するための最良の形態を添付図に基づいて以下に説明する。
図１は本発明に係る柱及び周辺部材の斜視図であり、床１１にコ字形の床金具１２を取付け、天井１３にもコ字形の天井金具１４を取付ける。なお、床金具１２には、複数枚の底上げ板１５が予め取付けられている。この底上げ材１５には荷重が掛かるので「集成材」を使用する。
【００１６】
集成材は、長尺で断面が小さな板材を乾燥させ、接着剤を塗布し、圧力を掛けながら貼り合わせてなる建材である。任意の外径や形状の建材を容易に得ることができるため、広く普及している。集成材は、角材並みの耐水性能を有する。
【００１７】
次に、柱１６を立て、下端を床金具１２にビス止めし、上端を天井金具１４にビス止めする。続いて、下框１７を、床金具１２にビス１８で固定し、床１１にビス１９で固定する。なお、下框１７は框本体部２１と蓋部２２とからなり、分離可能にビス２３で一体化される。
【００１８】
また、上框２４を、Ｌ金具２５とビス２６、２６とで柱１６の上部に連結し、天井１３にビス２７で固定する。上框２４及び下框１７も「集成材」を使用する。
【００１９】
ところで、床１１が耐水性床の場合は、床１１が水拭きされることがある。この際、下框１７、床金具１２及び底上げ材１５が濡れる。床金具１２は金属であるから問題ない。下框１７及び底上げ材１５は、耐水性に富む集成材を採用したので問題ない。
底上げ材１５で、柱１６が床１１から離されているので、柱１６には耐水性に乏しい材料を使用することが可能となる。
【００２０】
図２は本発明に係る仕切壁の斜視図であり、仕切壁３０は、複数の柱１６と、隣り合う柱１６と柱１６に渡した下框１７及び上框２４と、隣り合う柱１６と柱１６に嵌められたガラス板などの板材３１と、板材３１を保護するために隣り合う柱１６と柱１６の間に渡したガード材３３と、下框１７の側面に貼った幅木３４と、上框２４の側面に貼った廻縁３５とからなる。３６は灰皿置き台である。板材３１はガラス板の他、樹脂板、薄い金属板、合板であってもよく、種類は任意である。
【００２１】
図３は図２の３−３線断面図であり、下框１７の蓋部２２を外し、框本体部２１にセッティングブロック３７を載せる。次に、上框２４の溝３８に板材３１の頭を深く差し込みながら、板材３１の底をセッティングブロック３７に載せる。続いて、蓋部２２を框本体部２１に取付ける。次に、板材３１の上下にコーキング材３９を充填し、板材３１を下框１７及び上框２４に固定する。
【００２２】
図４は図２の４−４線断面図であり、複数本の柱１６は、コーナー柱（１６Ｃ）、中間柱（１６Ｍ）、エンド柱（１６Ｅ）と読み替えることで、区別する。
例えば、コーナー柱（１６Ｃ）と中間柱（１６Ｍ）には十分に深い縦溝４１、４２が対向して設けられている。板材３１の左辺（又は右辺）を、縦溝４２（又は縦溝４１）へ深く差し込み、次に右辺（又は左辺）を縦溝４１（又は縦溝４２）へ臨ませ、全体的に右（又は左）へ寄せる。これで、コーナー柱（１６Ｃ）と中間柱（１６Ｍ）とに板材３１を嵌めることができる。他の板材３１についても同様である。嵌め込んだ後にコーキング材３９を充填することで板材３１を固定する。
【００２３】
次に、柱１６の材質について説明する。
本発明では、柱１６の材質は、中密度繊維材（ＭＤＦ、Ｍｅｄｉｕｍ  Ｄｅｎｓｉｔｙ  Ｆｉｂｅｒｂｏａｒｄ）とした。中密度繊維材は、製材の屑、大鋸屑、廃木材のチップ、小径樹木や枝を原料とし、細胞の大きさまで砕いた後に、接着剤で固めてなる人造木材又は再生木材である。廃物利用であるから、地球資源の有効活用が図れ、近年のエコロジーに対応する。
【００２４】
ただし、中密度繊維材は、紙に近い性質を有するため、耐水性能は期待できない。しかし、図１で説明したように、床から離して設けることで、水が掛からぬようにすれば、使用には問題ない。また、床の構造上、床を水拭きすることがなければ、柱１６を床に載せることや接近して設けることは差し支えない。
【００２５】
コスト的には、中密度繊維材＜集成材＜金属枠の順になり、中密度繊維材は金属枠に比較して格段に易い。
強度的には、中密度繊維材＜集成材＜金属枠の順になり、中密度繊維材は金属枠に比較して格段に弱い。
【００２６】
そこで、中密度繊維材製柱の強度を検討する。
図５は本発明に係る柱の強度を説明する図であり、（ａ）に示すエンド柱（１６Ｅ）に、矢印（１）の外力、すなわち板材３１の面に直角な力が加わる。矢印（１）方向の板材３１の強度は小さいため、板材３１、エンド柱（１６Ｅ）ともに曲がる。この対策として、芯金４３をエンド柱（１６Ｅ）に埋設する。芯金４３は、フラットバーや平鋼と呼ばれる鋼製の帯板が好適である。なお、芯金４３は、強度向上の要求ある場合には、Ｃ型チャンネルにすることができる。
【００２７】
一方、エンド柱（１６Ｅ）に、矢印（２）の外力、すなわち板材３１の面に平行な力が加わると、矢印（２）方向の板材３１の強度は極めて大きいため、板材３１、エンド柱（１６Ｅ）ともに曲がらない。したがって、芯金４３は矢印（１）に平行な向きに延びた形態で埋設する。
【００２８】
（ｂ）に示すコーナー柱（１６Ｃ）に矢印（３）の外力が加わっても板材３１Ａがコーナー柱（１６Ｃ）の曲げを阻止する。また、コーナー柱（１６Ｃ）に矢印（４）の外力が加わっても板材３１Ｂがコーナー柱（１６Ｃ）の曲げを阻止する。したがって、コーナー柱（１６Ｃ）には芯金を入れないことにした。
【００２９】
図４に戻って、エンド柱（１６Ｅ）及び中間柱（１６Ｍ）には、板材３１に直交する向きに延びるように芯金４３を埋設する。コーナー柱（１６Ｃ）には芯金を入れない。
なお、柱１６は、ハーフサイズ（断面が１／２）の中密度繊維材角材を２本用意し、芯金４３を挟み、中密度繊維材角材同士を貼り合わせるという、製造法が採用できる。この製造法によれば、製造コストの低減が可能となる。この構造であれば、芯金４３が２個の中密度繊維材角材を繋ぐ、さね材の役割を果たし、接合強度が高まる。すなわち、芯金４３は、柱１６の補強と、さね材との２つの役割を果たす。
次に、柱１６単体の特徴を説明する。
【００３０】
図６は本発明に係る柱の正面図であり、柱１６には下端部４４と上端部４５とを除いて芯金４３が埋設されている。
なお、本発明者らが検討したところでは、中密度繊維材製柱であっても、全長Ｌが２．４ｍまでは、エンド柱や中間柱は強度的に問題がないことが分かり、芯金を入れないことにした。したがって、２．４ｍまでの柱であれば、現場で木工鋸を用いて任意に切り詰めることができる。
【００３１】
一方、全長Ｌが２．７ｍや３ｍのものは、下端部１５０ｍｍと上端部１５０ｍｍを残して、２．４ｍ又は２．７ｍの長さの芯金４３を埋設する。現場では天井高さに応じて、下端部４４の一部と上端部４５の一部を切除して柱１６の長さを整える。この際に下端部４４と上端部４５とを均等に切断させることが望まれる。
【００３２】
そこで、下端部４４と上端部４５に、１〜５の目盛り４６、４６と「切断可」４７、４７の表示を印すことにした。これらの表示は柱１６に直接印字することのほか、プリントフィルムやシールを貼り付けてもよい。フィルムやシールであれば、後に剥がすことができるため、外観性を高める上で有効である。
したがって、目盛り、印し、目印の形態は任意であり、施工時に目で確認できるものであれば形態は問わない。
【００３３】
次に、下端部４４と上端部４５とには芯金が不要であることの理由を、説明する。
図７は柱の曲げ強度を説明する図であり、（ａ）に示すように、両端が単純支持された柱１６の中央にＷの集中荷重が作用すると、柱１６は下へ弓形に撓む。この際、（ｂ）に示すように中央に大きな曲げモーメントＭｃが作用する。両端部は小さな曲げモーメントＭｅ、Ｍｅが作用する。
【００３４】
（ｃ）は両端部の断面を示し、両端部での断面係数をＺｅとすれば、両端部における曲げ応力は、σｍｅ＝Ｍｅ／Ｚｅとなる。（ｂ）に示したようにＭｅはごく小さいため、σｍｅは小さくなる。そのため、両端部は大きな剛性（Ｚｅ）が不要となり、芯金を入れる必要がないこととなる。
【００３５】
一方、（ｄ）は中央の断面を示し、中央部での断面係数をＺｃとすれば、中央部における曲げ応力は、σｍｃ＝Ｍｃ／Ｚｃとなる。（ｂ）に示したようにＭｃは大きいため、σｍｃは大きくなる。大きな曲げ応力σｍｃに耐えるように、芯金４３を入れる。
図６において、両端部（下端部４４と上端部４５）に芯金４３を入れないことにより、柱１６の軽量化と、寸法調整の容易さとの両方の効果を発揮させることができる。
【００３６】
以上に説明した仕切壁３０は、部屋を区画する場合に有益である。その具体例を次に説明する。
図８はレストルームの平面図であり、四方が壁５１で囲われ、複数のテーブル５２、カウンター５３、流し５４が配置され、隅に物置５５、小用トイレ５６及び洋式トイレ５７が設けられているレストルーム５０に、本発明の仕切壁３０を配置して、禁煙エリア５８と喫煙エリア５９を区分する。すなわち、仕切壁３０は分煙パーテーションの役割を果たす。
好ましくは、仕切壁３０の両端に設けた出入り口６１、６２にはエアカーテン６３、６３を設ける。
【００３７】
仕切壁３０は、床から天井に達しており、喫煙エリア５９内を換気扇６４で引くと、喫煙エリア５９内は禁煙エリア５８より僅かに低圧になる。そのため、出入り口６１、６２から煙草の煙が禁煙エリア５８へ流れにくくなる。エアカーテン６３、６３を設けると煙草の煙や臭いを更に良好に遮断することができる。エアカーテン６３を形成する空気流が煙草の煙や臭いを巻き込んで排出する作用を発揮するからである。
【００３８】
レストルーム５０は、食堂、集会場、サロン、喫茶室であってもよい。仕切壁３０は、レストルーム５０の新設時、改造時の何れにおいても簡単に施工できる。
【００３９】
尚、本発明の仕切壁は、分煙パーテーションに好適であるが、他の目的の間仕切壁として使用することは差し支えない。
【産業上の利用可能性】
【００４０】
本発明の仕切壁は、分煙パーテーションに好適である。
【図面の簡単な説明】
【００４１】
【図１】本発明に係る柱及び周辺部材の斜視図である。
【図２】本発明に係る仕切壁の斜視図である。
【図３】図２の３−３線断面図である。
【図４】図２の４−４線断面図である。
【図５】本発明に係る柱の強度を説明する図である。
【図６】本発明に係る柱の正面図である。
【図７】柱の曲げ強度を説明する図である。
【図８】レストルームの平面図である。
【図９】従来の壁パネルの分解斜視図である。
【符号の説明】
【００４２】
１１…床、１３…天井、１６…柱、（１６Ｃ）…コーナー柱、（１６Ｍ）…中間柱、（１６Ｅ）…エンド柱、３０…仕切壁、３１…板材、４３…芯金、４４…両端部（下端部）、４５…両端部（上端部）、４６…目盛り、５０…部屋（レストルーム）、５８…禁煙エリア、５９…喫煙エリア。
【図１】
2009263973.tif 000003
【図２】
2009263973.tif 000004
【図３】
2009263973.tif 000005
【図４】
2009263973.tif 000006
【図５】
2009263973.tif 000007
【図６】
2009263973.tif 000008
【図７】
2009263973.tif 000009
【図８】
2009263973.tif 000010
【図９】
2009263973.tif 000011